(57)【要約】【課題】シール本体の全域を被貼り付け面に貼り付けることが可能な構成を採りながら、陳列場所の制約を受け難く、しかも、購買意欲を高揚させることが可能な粘着シールを提供する。【解決手段】剥離紙２と、この剥離紙２に剥離可能に貼着された複数のシール本体３，４とを備える。シール本体３，４は、絵柄が表面に印刷されたシートと、このシートの裏面に設けられた粘着剤とによって構成されている。剥離紙２は、立体物を構成するように立体的に形成されている。【選択図】  図２
0003174876.tif 000002
【実用新案登録請求の範囲】
【請求項１】
剥離紙と、この剥離紙に剥離可能に貼着された複数のシール本体とを備え、
前記シール本体は、絵柄が表面に印刷されたシートと、このシートの裏面に設けられた粘着剤とによって構成され、
前記剥離紙は、立体物を構成するように立体的に形成されていることを特徴とする粘着シール。
【請求項２】
請求項１記載の粘着シールにおいて、前記剥離紙は、前記シール本体の絵柄と関連する物体を構成するように形成されていることを特徴とする粘着シール。
【請求項３】
請求項１または請求項２記載の粘着シールにおいて、前記剥離紙は、透明なプラスチック製のシートによって形成されていることを特徴とする粘着シール。
【請求項４】
請求項１または請求項２記載の粘着シールにおいて、前記剥離紙には、前記立体物と関連する絵柄が印刷されていることを特徴とする粘着シール。
【請求項５】
請求項１ないし請求項４のうちいずれか一つに記載の粘着シールにおいて、前記シール本体が貼着された前記剥離紙は、透明部を有する箱に収納されていることを特徴とする粘着シール。
【考案の詳細な説明】
【技術分野】
【０００１】
本考案は、剥離紙と複数のシール本体とからなる粘着シールに関するものである。
【背景技術】
【０００２】
従来、いわゆるデコレーションシールと呼ばれる粘着シールは、絵柄が印刷された複数のシール本体を１枚の剥離紙に貼り付けた状態で販売されることが多い。この種の粘着シールは、複数のシール本体が同一平面上に並ぶために、店頭の陳列場所に制約を受けるものである。すなわち、シール本体が上方を指向する状態で高い位置に置かれると、購買者から見え難くなる。
【０００３】
ところで、上述した平面的な粘着シールに対して明確に差別化できるようにした粘着シールが例えば特許文献１に記載されている。特許文献１に開示されている粘着シールは、絵柄を有するシール本体の一部に非粘着領域を設け、この部分を折り起こし部として起立させたものである。
【先行技術文献】
【特許文献】
【０００４】
【特許文献１】実用新案登録第３０７２６９１号公報
【考案の概要】
【考案が解決しようとする課題】
【０００５】
複数のシール本体が同一平面上に並ぶ従来の粘着シールは、陳列場所に制約を受ける。また、この粘着シールは、シール本体の形状や絵柄のみに特徴があるものであるから、購買意欲を高揚させるにも限界があった。
【０００６】
特許文献１に開示されている粘着シールのシール本体は、折り起こし部が起立するように最初から折り曲げられている。このため、このシール本体は、剥離紙から剥がして所望の位置に貼り付けられた後にも前記折り起こし部が被貼り付け面から離れてしまう。すなわち、このシール本体は、その全域を被貼り付け面に貼り付けることはできないものである。
【０００７】
本考案はこのような問題を解消するためになされたもので、シール本体の全域を被貼り付け面に貼り付けることが可能な構成を採りながら、陳列場所の制約を受け難く、しかも、購買意欲を高揚させることが可能な粘着シールを提供することを目的とする。
【課題を解決するための手段】
【０００８】
この目的を達成するために、本考案に係る粘着シールは、剥離紙と、この剥離紙に剥離可能に貼着された複数のシール本体とを備え、前記シール本体は、絵柄が表面に印刷されたシートと、このシートの裏面に設けられた粘着剤とによって構成され、前記剥離紙は、立体物を構成するように立体的に形成されているものである。
【０００９】
本考案は、前記考案において、前記剥離紙は、前記シートの絵柄と関連する物体を構成するように形成されていることを特徴とする。
【００１０】
本考案は、前記考案において、前記剥離紙は、透明なプラスチック製のシートによって形成されていることを特徴とする。
【００１１】
本考案は、前記考案において、前記剥離紙には、前記立体物と関連する絵柄が印刷されていることを特徴とする。
【００１２】
本考案は、前記考案において、前記シール本体が貼着された前記剥離紙は、透明部を有する箱に収納されていることを特徴とする。
【考案の効果】
【００１３】
本考案によれば、シール本体が剥離紙に貼り付けられて立体的に配置されるから、複数のシール本体が同一平面上に並べられている粘着シールと較べると、シール本体の被視認性が高くなる。このため、この粘着シールは、陳列場所の制約を受け難くなる。また、シール本体の一部を起立させることなくシール本体が立体的に配置されるから、シール本体の裏面の全域に粘着剤を設けることができる。すなわち、シール本体は、その全域を被貼り付け面に貼り付けることができるものとなる。
【００１４】
さらに、本考案に係る粘着シールは、シール本体が立体的に配置されるために、シール本体の形状や絵柄のみに特徴を有する従来の粘着シールと較べると、購買意欲を高揚させることが可能になる。
したがって、本考案によれば、シール本体の全域を被貼り付け面に貼り付けることが可能な構成を採りながら、陳列場所の制約を受け難く、しかも、購買意欲を高揚させることが可能な粘着シールを提供することができる。
【図面の簡単な説明】
【００１５】
【図１】本考案の第１の実施の形態による粘着シールの正面図である。
【図２】本考案の第１の実施の形態による粘着シールの斜視図である。
【図３】図１における剥離紙と苺状のシール本体のIII−III線断面図である。
【図４】本考案の第２の実施の形態による粘着シールの斜視図である。
【考案を実施するための形態】
【００１６】
（第１の実施の形態）
以下、本考案に係る粘着シールの一実施の形態を図１ないし図３によって詳細に説明する。
図１に示す粘着シール１は、立体的に形成された剥離紙２と、この剥離紙２に剥離可能に貼り付けられた苺状のシール本体３およびレース状のシール本体４とを備えている。この実施の形態による前記剥離紙２は、詳細は後述するが、２段ケーキからなる立体物を構成するように立体的に形成されている。この剥離紙２と前記シール本体３，４とからなる粘着シール１は、図２に示すように、透明なプラスチック製の箱５に収納された状態で販売されるものである。
【００１７】
この実施の形態による剥離紙２は、透明なプラスチック製のシートを組み合わせて２段ケーキの形状に形成されている。すなわち、この剥離紙２は、相対的に外径が大きい下部円筒体１１と、この下部円筒体１１から上方に突出する上部円筒体１２とによって構成されている。下部円筒体１１の上端には、円板状の蓋体１３（図２参照）が固定されている。上部円筒体１２は、前記蓋体１３の上に固定されている。なお、２段ケーキ状の剥離紙２の構造は、この実施の形態に示す構造に限定されることはなく、適宜変更することができる。
【００１８】
前記苺状のシール本体３とレース状のシール本体４は、下部円筒体１１と上部円筒体１２の外周面にそれぞれ貼り付けられている。この実施の形態においては、複数の苺状のシール本体３が下部円筒体１１および上部円筒体１２の周方向に等間隔おいて並べられている。
【００１９】
前記レース状のシール本体４は、前記両円筒体１１，１２の周方向の全域にわたって延びるように形成されており、両円筒体１１，１２の上端部にそれぞれ位置付けられている。
苺状のシール本体３とレース状のシール本体４は、図３に示すように、苺やレースの形状に形成されかつ苺やレースの絵柄が印刷されたシート１４と、このシート１４の裏面に設けられた粘着剤１５とによって構成されている。この実施の形態による前記剥離紙２は、前記シート１４の絵柄（苺）と関連する物体（ケーキ）を構成するように形成されている。
【００２０】
前記箱５は、不図示の蓋を開くことによって粘着シール１を出し入れできる構造のものである。この箱５は、その内面が前記下部円筒体１１の外周面と接するような大きさに形成されている。このため、２段ケーキ状の剥離紙２が箱５の中で遊動することはない。この実施の形態においては、箱５の全体が請求項５記載の考案でいう「透明部」を構成している。
【００２１】
このように構成された粘着シール１は、シール本体３，４が剥離紙２に貼り付けられて立体的に配置されている。このため、この粘着シール１は、剥離紙２から剥がしたシール本体３，４を所望の被貼り付け面に貼り付けて楽しむだけでなく、シール本体３，４が剥離紙２に貼り付けられている状態の粘着シール１を見て楽しむことができるものである。
【００２２】
また、この粘着シール１は、複数のシール本体が同一平面上に並べられている粘着シール１と較べると、シール本体３，４の被視認性が高くなる。このため、この粘着シール１は、陳列場所の制約を受け難くなる。
さらに、シール本体３，４の一部を起立させることなくシール本体３，４が立体的に配置されるから、シール本体３，４の裏面の全域に粘着剤１５を設けることができる。すなわち、シール本体３，４は、その全域を被貼り付け面に貼り付けることができるものとなる。
【００２３】
さらにまた、この実施の形態による粘着シール１は、シール本体３，４が立体的に配置されるために、シール本体３，４の形状や絵柄のみに特徴を有する従来の粘着シールと較べると、購買意欲を高揚させることが可能になる。
したがって、この実施の形態によれば、シール本体３，４の全域を被貼り付け面に貼り付けることが可能な構成を採りながら、陳列場所の制約を受け難く、しかも、購買意欲を高揚させることが可能な粘着シールを提供することができる。
【００２４】
この実施の形態による前記剥離紙２は、前記シート１４の絵柄（苺）と関連する物体（ケーキ）を構成するように形成されている。このため、剥離紙２を用いてシール本体３，４の特徴をより一層顕著にすることができるから、購買意欲をより一層高くすることが可能な粘着シールを提供することができる。
【００２５】
この実施の形態による前記剥離紙２は、透明なプラスチック製のシートによって形成されている。
このため、剥離紙２を透かして反対側のシール本体３，４の裏面を見ることができるから、見える特徴物が多くなる。この結果、この実施の形態による粘着シール１は、さらに被視認性が高いものとなる。
【００２６】
この実施の形態においては、前記シール本体３，４が貼着された前記剥離紙２は、全体が透明部となる箱５に収納されている。
このため、立体的に配置されたシール本体３，４を見ることができる状態を保ちながら、剥離紙２を前記箱５に保持させることができる。したがって、剥離紙２の立体的な形状を確実に保つことが可能になるから、シール本体３，４が立体的に配置されているにもかかわらず、取り扱いが容易な粘着シールを提供することができる。なお、箱５は、透明なプラスチック材料で形成する他に、例えば箱５内を外から視認可能な窓部を有する紙製の箱とすることができる。この場合は、前記窓部が請求項５記載の考案でいう「透明部」を構成することになる。
【００２７】
（第２の実施の形態）
剥離紙とシール本体は図４に示すように形成することができる。図４ににおいて、前記図１〜図３によって説明したものと同一もしくは同等の部材については、同一符号を付し詳細な説明を適宜省略する。
【００２８】
図４に示す粘着シール２１は、いわゆる宝石箱を呈するように立体的に形成された剥離紙２と、この剥離紙２に剥離可能に貼り付けられた宝石状のシール本体２２とによって構成されている。前記剥離紙２は、宝石状のシール本体２２と関連する立体物（宝石箱）となるように形成されている。
この実施の形態による前記剥離紙２には、宝石箱と関連する絵柄２３が印刷されている。
【００２９】
この実施によれば、剥離紙２に宝石箱を連想されるような絵柄２３が印刷されているから、剥離紙２によって構成される前記立体物（宝石箱）を具体的に表現することが可能になり、宝石状のシール本体２２を前記立体物の一部となるように形成することが可能になる。
したがって、シール本体２２と剥離紙２とによって一つの立体物を構成できるから、より一層目立つとともに、より一層購買意欲を高くできる粘着シールを提供することができる。
なお、剥離紙２の形状は、上述したような２段ケーキ状や宝石箱状に限定されることはなく、適宜変えることができる。また、この剥離紙２に貼り付けられるシール本体の形状や絵柄も適宜変更することができる。
【符号の説明】
【００３０】
１…粘着シール、２…剥離紙、３，４，２２…シール本体、５…箱、１４…シート、１５…粘着剤。
【図１】
0003174876.tif 000003
【図２】
0003174876.tif 000004
【図３】
0003174876.tif 000005
【図４】
0003174876.tif 000006